(57)【要約】【課題】転写媒体に形成した画像を読み取った読取画像についてユーザコンテンツをマスク処理することを可能にする。【解決手段】画像形成装置は、転写媒体に画像を形成する画像形成部と、転写媒体に形成された画像を読み取った読取画像を取得する制御部と、を有し、制御部は、読取画像に関する異常を判定する機能と、読取画像にユーザコンテンツを含む場合、読取画像にマスク処理をする機能とを有することにより、読取画像にユーザコンテンツを含む場合に、状況に応じてマスク処理を行うかを決定することができる。【選択図】図３
2018082349.tif 000002
【特許請求の範囲】
【請求項１】
転写媒体に画像を形成する画像形成部と、
転写媒体に形成された画像を読み取った読取画像を取得する制御部と、を有し、
前記制御部は、読取画像に関する異常を判定する機能と、読取画像にユーザコンテンツを含む場合、読取画像にマスク処理をする機能とを有することを特徴とする画像形成装置。
【請求項２】
前記制御部は、前記読取画像に基づいて前記画像形成部の調整を行う調整機能を有することを特徴とする請求項１記載の画像形成装置。
【請求項３】
前記制御部は、前記調整のために、前記画像形成部により転写媒体に調整画像を形成することを特徴とする請求項２記載の画像形成装置。
【請求項４】
前記制御部は、前記読取画像に基づいて画像の異常を判定することを特徴とする請求項１〜３のいずれか１項に記載の画像形成装置。
【請求項５】
前記制御部は、画像形成部の調整内容に応じてマスク処理を行うかの判定を行うことを特徴とする請求項１〜４のいずれか１項に記載の画像形成装置。
【請求項６】
前記制御部は、画像形成部の調整内容がユーザコンテンツを含むチャートを使用する調整の場合に、マスク処理を行う対象とすることを特徴とする請求項５記載の画像形成装置。
【請求項７】
前記制御部は、前記読取画像に基づいて異常の判定を行った場合、前記マスク処理を行うことを特徴とする請求項１〜６のいずれか１項に記載の画像形成装置。
【請求項８】
前記制御部は、読取画像にマスク処理を行った後、前記読取画像に関する異常の判定を行うことを特徴とする請求項１〜６のいずれか１項に記載の画像形成装置。
【請求項９】
前記制御部は、前記異常の判定に際し、読取画像について転写媒体上の画像位置を特定し、マスク処理に際し前記画像位置に基づいてマスク位置を設定することを特徴とする請求項１〜８のいずれか１項に記載の画像形成装置。
【請求項１０】
前記制御部は、前記画像形成部で形成された画像以外に別画像がある場合、転写媒体上における別画像の位置を判定し、マスク処理の際に別画像の位置に基づいて別画像が形成された領域をマスクすることを特徴とする請求項１〜９のいずれか１項に記載の画像形成装置。
【請求項１１】
読取りが行われる前記転写媒体に前記画像形成部によって調整画像が形成されており、
前記制御部は、前記読取画像に前記調整画像以外の別画像が検出された場合、前記別画像の位置を判定し、マスク処理の際に判定結果に基づいて別画像が形成された領域をマスクすることを特徴とする請求項１〜９のいずれか１項に記載の画像形成装置。
【請求項１２】
前記別画像が追い刷り印刷における先行画像であることを特徴とする請求項１０または１１に記載の画像形成装置。
【請求項１３】
前記制御部は、前記読取画像に基づいて転写媒体上に画像の異常がある場合、前記画像の異常の位置を検出し、前記マスク処理に際し、画像の異常の位置をマスク処理の対象外にすることを特徴とする請求項１〜１２のいずれか１項に画像形成装置。
【請求項１４】
前記制御部は、マスク処理に際し、マスク領域に画像形成条件を埋め込むことを特徴とする請求項１〜１３のいずれか１項に画像形成装置。
【請求項１５】
表示部を有し、
前記制御部は、マスク処理を行った場合、前記表示部にマスク済みの画像または／およびマスク対象となった画像を表示することを特徴とする請求項１〜１４のいずれか１項に記載の画像形成装置。
【請求項１６】
前記制御部は、異常ありの判定を行った場合、ジョブの出力を停止することを特徴とする請求項１〜１５のいずれか１項に記載の画像形成装置。
【請求項１７】
前記制御部は、画像形成部を調整する調整種類がユーザコンテンツを含むチャートを使用し、異常ありの判定によりジョブが停止している場合、転写媒体に内部パターンを印字し、内部パターンを印字した転写媒体の読取画像を調整用に取得することを特徴とする請求項１〜１６のいずれかに記載の画像形成装置。
【請求項１８】
画像保存部を有し、
前記制御部は、前記読取画像に関し異常があると判定した場合、前記画像保存部に読取画像または／およびマスク処理した画像を保存することを特徴とする請求項１〜１７のいずれか１項に画像形成装置。
【請求項１９】
前記制御部は、異常の種別に応じて、画像保存を行うか判定することを特徴とする請求項１７記載の画像形成装置。
【請求項２０】
前記制御部は、前記画像形成部の調整を行う調整機能の実施に際し、調整の種別に応じて、画像保存を行うか判定することを特徴とする請求項１８または１９に記載の画像形成装置。
【請求項２１】
ユーザコンテンツを含む画像保存を許可または禁止の設定をする画像保存設定部を有し、
前記制御部は、ユーザコンテンツを含む画像保存が禁止の場合は画像保存部への画像保存を行わないことを特徴とする請求項１８〜２０のいずれか１項に記載の画像形成装置。
【請求項２２】
前記制御部は、高セキュリティモード時には読取画像を前記画像保存部に保存しないことを特徴とする請求項１８〜２１のいずれか１項に記載の画像形成装置。
【請求項２３】
前記制御部は、高セキュリティモード時に、セキュリティのレベルに応じて読取画像を前記画像保存部に保存するかを決定することを特徴とする請求項１８〜２２のいずれか１項に記載の画像形成装置。
【請求項２４】
操作部を有し、
前記制御部は、操作部を介して保存許可の操作がされた場合、画像保存部に読取画像または／およびマスク処理した画像を保存することを特徴とする請求項１８〜２３のいずれか１項に記載の画像形成装置。
【請求項２５】
前記制御部は、前記画像保存部に読取画像または／およびマスク処理した画像を保存する際に、機械情報ログを併せて保存することを特徴とする請求項１８〜２４のいずれか１項に記載の画像形成装置。
【請求項２６】
前記制御部は、前記画像保存部への画像の保存に際し、画像を暗号化して保存することを特徴とする請求項１８〜２５のいずれか１項に記載の画像形成装置。
【請求項２７】
前記制御部は、前記画像保存部への画像の保存に際し、画像を圧縮して保存することを特徴とする請求項１８〜２６のいずれか１項に記載の画像形成装置。
【請求項２８】
前記制御部は、画像の保存に際し、画像保存部における保存容量が十分か確認し、容量が十分にあると判断した場合に画像保存部に画像を保存することを特徴とする請求項１８〜２７のいずれか１項に記載の画像形成装置。
【請求項２９】
前記制御部は、画像の保存に際し、画像保存部における保存容量が十分でない場合、画像のデータ量を削減して画像保存部に画像を保存することを特徴とする請求項１８〜２８のいずれか１項に記載の画像形成装置。
【請求項３０】
前記制御部は、前記画像形成部の調整を行う調整機能の実施を行う場合、画像形成調整の調整種別に応じて画像のデータ量を削減することを特徴とする請求項２９記載の画像形成装置。
【請求項３１】
前記制御部は、異常ありと判定した読取画像に削除禁止フラグを設定し、前記画像保存部はジョブ停止後に、読取画像または／およびマスク処理した画像を保存することを特徴とする請求項１８〜３０のいずれか１項に記載の画像形成装置。
【請求項３２】
転写媒体に形成された画像を読み取った読取画像を取得し、前記読取画像に関し異常があるかを判定し、
前記読取画像にユーザコンテンツを含む場合、読取画像にマスク処理をすることを可能とすることを特徴とする画像形成方法。
【請求項３３】
転写媒体に画像を形成する画像形成部と、
転写媒体上の画像を読み取る画像読取部と、
転写媒体に形成された前記画像を読み取った読取画像を取得する制御部と、を有し、
前記制御部は、前記読取画像に関する異常を判定する機能と、前記読取画像にユーザコンテンツを含む場合、読取った画像データにマスク処理をする機能と、を有することを特徴とする画像形成システム。
【請求項３４】
画像形成装置を制御する制御部を有する管理装置であって、
前記制御部は、画像形成装置で形成された転写媒体上の画像を読み取った読取画像を取得し、読取画像に関し異常があるかを判定し、前記読取画像にユーザコンテンツを含む場合、読取画像にマスク処理をすることを特徴とする管理装置。
【請求項３５】
転写媒体に形成された画像を読み取った読取画像を取得する制御部で実行されるプログラムであって、
前記読取画像に関し異常があるかを判定するステップと、
前記読取画像にユーザコンテンツを含むかを判定するステップと、
前記読取画像にユーザコンテンツを含む場合、読取画像にマスク処理をするステップと、を有することを特徴とする制御プログラム。
【発明の詳細な説明】
【技術分野】
【０００１】
この発明は、転写媒体に形成した画像を読み取った読取画像を受けて異常の判定を行うことができる画像形成装置、管理装置、画像形成方法および制御プログラムに関するものである。
【背景技術】
【０００２】
画像データに基づいて画像形成部で画像を形成する、複写機、ファクシミリ、プリンター、複合機などの画像形成装置では、設定された画像形成条件（画像形成位置、色、濃度など）に従い、ジョブに含まれる画像データに基づいて転写媒体に画像が出力される。画像形成部では、画像形成装置の稼働に伴って一時的にまたは次第に特性が変化することがあるため、各種の調整動作などにより品質維持を図っている。具体的には、画像形成装置が稼働する所定時間毎や所定印刷枚数毎などによって、調整画像となるパッチなどを用紙に形成し、このパッチをインラインのカラー濃度センサ等で検出して画像が適正に形成されているかを判定する。
また、印刷された画像を読み取り、画像形成に用いた画像データとの比較により画像が適正に印刷されているかを判定するものもある。判定の結果、画像品質などにずれなどが生じている場合は、フィードバックにより印刷濃度等を補正して画像形成の調整を行っている。
上記のように、ユーザは操作パネルなどから調整の指示をするだけで、画像形成した用紙をインラインセンサなどで読み取り、読取画像を解析して画像形成部の各種調整を自動で行うことができる。
【先行技術文献】
【特許文献】
【０００３】
【特許文献１】特開２０１４−２２９９５７号公報
【発明の概要】
【発明が解決しようとする課題】
【０００４】
ところで、市場で読取画像を取得する際に、画像異常や調整不可となる異常が発生した場合、解析のために読取画像の採取が必要となる。しかし、ユーザコンテンツの所有者とオペレータとが異なる場合は、一般に、セキュリティ上の問題で、ユーザコンテンツが含まれている画像を採取して保存することができない。例えば、ユーザコンテンツに内部パターンを合成した画像を使用する調整（以下、リアルタイム調整と呼ぶ）の場合は読取画像にユーザコンテンツが含まれるため、そのままの状態では画像採取をすることができず、異常の解析を行えないという問題がある。
特許文献１では、所定範囲の機密部分をマスク処理することができる画像形成装置等が提案されている。特許文献１では、秘匿性のある情報を含む範囲をマスク処理するものとしており、必要性がない場合にもマスク処理可否を判定することが必要になる。
【０００５】
本発明は、上記事情を背景としてなされたものであり、読取画像にユーザコンテンツを含む場合に、状況に応じてマスク処理を行うかを決定することができる画像形成装置、管理装置、画像形成方法および制御プログラムを提供することを目的の一つとする。
【課題を解決するための手段】
【０００６】
本発明の画像形成装置のうち、第１の形態は、転写媒体に画像を形成する画像形成部と、
転写媒体に形成された画像を読み取った読取画像を取得する制御部と、を有し、
前記制御部は、読取画像に関する異常を判定する機能と、読取画像にユーザコンテンツを含む場合、読取画像にマスク処理をする機能とを有することを特徴とする。
【０００７】
本発明の他の形態の画像形成装置は、前記他の形態において、前記制御部は、前記読取画像に基づいて前記画像形成部の調整を行う調整機能を有することを特徴とする。
【０００８】
本発明の他の形態の画像形成装置は、前記他の形態において、前記制御部は、前記調整のために、前記画像形成部により転写媒体に調整画像を形成することを特徴とする。
【０００９】
本発明の他の形態の画像形成装置は、前記他の形態において、前記制御部は、前記読取画像に基づいて画像の異常を判定することを特徴とする。
【００１０】
本発明の他の形態の画像形成装置は、前記他の形態において、前記制御部は、画像形成部の調整内容に応じてマスク処理を行うかの判定を行うことを特徴とする。
【００１１】
本発明の他の形態の画像形成装置は、前記他の形態において、前記制御部は、画像形成部の調整内容がユーザコンテンツを含むチャートを使用する調整の場合に、マスク処理を行う対象とすることを特徴とする。
【００１２】
本発明の他の形態の画像形成装置は、前記他の形態において、前記制御部は、前記読取画像に基づいて異常の判定を行った場合、前記マスク処理を行うことを特徴とする。
【００１３】
本発明の他の形態の画像形成装置は、前記他の形態において、前記制御部は、読取画像にマスク処理を行った後、前記読取画像に関する異常の判定を行うことを特徴とする。
【００１４】
本発明の他の形態の画像形成装置は、前記他の形態において、前記制御部は、前記異常の判定に際し、読取画像について転写媒体上の画像位置を特定し、マスク処理に際し前記画像位置に基づいてマスク位置を設定することを特徴とする。
【００１５】
本発明の他の形態の画像形成装置は、前記他の形態において、前記制御部は、前記画像形成部で形成された画像以外に別画像がある場合、転写媒体上における別画像の位置を判定し、マスク処理の際に別画像の位置に基づいて別画像が形成された領域をマスクすることを特徴とする。
【００１６】
本発明の他の形態の画像形成装置は、前記他の形態において、読取りが行われる前記転写媒体に前記画像形成部によって調整画像が形成されており、
前記制御部は、前記読取画像に前記調整画像以外の別画像が検出された場合、前記別画像の位置を判定し、マスク処理の際に判定結果に基づいて別画像が形成された領域をマスクすることを特徴とする。
【００１７】
本発明の他の形態の画像形成装置は、前記他の形態において、前記別画像が追い刷り印刷における先行画像であることを特徴とする。
【００１８】
本発明の他の形態の画像形成装置は、前記他の形態において、前記制御部は、前記読取画像に基づいて転写媒体上に画像の異常がある場合、前記画像の異常の位置を検出し、前記マスク処理に際し、画像の異常の位置をマスク処理の対象外にすることを特徴とする。
【００１９】
本発明の他の形態の画像形成装置は、前記他の形態において、前記制御部は、マスク処理に際し、マスク領域に画像形成条件を埋め込むことを特徴とする。
【００２０】
本発明の他の形態の画像形成装置は、前記他の形態において、表示部を有し、
前記制御部は、マスク処理を行った場合、前記表示部にマスク済みの画像または／およびマスク対象となった画像を表示することを特徴とする。
【００２１】
本発明の他の形態の画像形成装置は、前記他の形態において、前記制御部は、異常ありの判定を行った場合、ジョブの出力を停止することを特徴とする。
【００２２】
本発明の他の形態の画像形成装置は、前記他の形態において、前記制御部は、画像形成部を調整する調整種類がユーザコンテンツを含むチャートを使用し、異常ありの判定によりジョブが停止している場合、転写媒体に内部パターンを印字し、内部パターンを印字した転写媒体の読取画像を調整用に取得することを特徴とする。
【００２３】
本発明の他の形態の画像形成装置は、前記他の形態において、画像保存部を有し、
前記制御部は、前記読取画像に関し異常があると判定した場合、前記画像保存部に読取画像または／およびマスク処理した画像を保存することを特徴とする。
【００２４】
本発明の他の形態の画像形成装置は、前記他の形態において、前記制御部は、異常の種別に応じて、画像保存を行うか判定することを特徴とする。
【００２５】
本発明の他の形態の画像形成装置は、前記他の形態において、前記制御部は、前記画像形成部の調整を行う調整機能の実施に際し、調整の種別に応じて、画像保存を行うか判定することを特徴とする。
【００２６】
本発明の他の形態の画像形成装置は、前記他の形態において、ユーザコンテンツを含む画像保存を許可または禁止の設定をする画像保存設定部を有し、
前記制御部は、ユーザコンテンツを含む画像保存が禁止の場合は画像保存部への画像保存を行わないことを特徴とする。
【００２７】
本発明の他の形態の画像形成装置は、前記他の形態において、前記制御部は、高セキュリティモード時には読取画像を前記画像保存部に保存しないことを特徴とする。
【００２８】
本発明の他の形態の画像形成装置は、前記他の形態において、前記制御部は、高セキュリティモード時に、セキュリティのレベルに応じて読取画像を前記画像保存部に保存するかを決定することを特徴とする。
【００２９】
本発明の他の形態の画像形成装置は、前記他の形態において、操作部を有し、
前記制御部は、操作部を介して保存許可の操作がされた場合、画像保存部に読取画像または／およびマスク処理した画像を保存することを特徴とする。
【００３０】
本発明の他の形態の画像形成装置は、前記他の形態において、前記制御部は、前記画像保存部に読取画像または／およびマスク処理した画像を保存する際に、機械情報ログを併せて保存することを特徴とする。
【００３１】
本発明の他の形態の画像形成装置は、前記他の形態において、前記制御部は、前記画像保存部への画像の保存に際し、画像を暗号化して保存することを特徴とする。
【００３２】
本発明の他の形態の画像形成装置は、前記他の形態において、前記制御部は、前記画像保存部への画像の保存に際し、画像を圧縮して保存することを特徴とする。
【００３３】
本発明の他の形態の画像形成装置は、前記他の形態において、前記制御部は、画像の保存に際し、画像保存部における保存容量が十分か確認し、容量が十分にあると判断した場合に画像保存部に画像を保存することを特徴とする。
【００３４】
本発明の他の形態の画像形成装置は、前記他の形態において、前記制御部は、画像の保存に際し、画像保存部における保存容量が十分でない場合、画像のデータ量を削減して画像保存部に画像を保存することを特徴とする。
【００３５】
本発明の他の形態の画像形成装置は、前記他の形態において、前記制御部は、前記画像形成部の調整を行う調整機能の実施を行う場合、画像形成調整の調整種別に応じて画像のデータ量を削減することを特徴とする。
【００３６】
本発明の他の形態の画像形成装置は、前記他の形態において、前記制御部は、異常ありと判定した読取画像に削除禁止フラグを設定し、前記画像保存部はジョブ停止後に、読取画像または／およびマスク処理した画像を保存することを特徴とする。
【００３７】
本発明の画像形成方法は、転写媒体に形成された画像を読み取った読取画像を取得し、前記読取画像に関し異常があるかを判定し、
前記読取画像にユーザコンテンツを含む場合、読取画像にマスク処理をすることを可能とすることを特徴とする。
【００３８】
本発明の画像形成システムは、転写媒体に画像を形成する画像形成部と、
転写媒体上の画像を読み取る画像読取部と、
転写媒体に形成された前記画像を読み取った読取画像を取得する制御部と、を有し、
前記制御部は、前記読取画像に関する異常を判定する機能と、前記読取画像にユーザコンテンツを含む場合、読取った画像データにマスク処理をする機能と、を有することを特徴とする。
【００３９】
本発明の管理装置は、画像形成装置を制御する制御部を有する管理装置であって、
前記制御部は、画像形成装置で形成された転写媒体上の画像を読み取った読取画像を取得し、読取画像に関し異常があるかを判定し、前記読取画像にユーザコンテンツを含む場合、読取画像にマスク処理をすることを特徴とする。
【００４０】
本発明の制御プログラムは、転写媒体に形成された画像を読み取った読取画像を取得する制御部で実行されるプログラムであって、
前記読取画像に関し異常があるかを判定するステップと、
前記読取画像にユーザコンテンツを含むかを判定するステップと、
前記読取画像にユーザコンテンツを含む場合、読取画像にマスク処理をするステップと、を有することを特徴とする。
【発明の効果】
【００４１】
本発明によれば、転写媒体に形成されている画像を読み取った読取画像にユーザコンテンツが含まれている場合に、状況に応じてマスク処理を行うかを決定することができ、必要な状況でマスク処理を行うことができ、読取画像を採取してもセキュリティ上の問題が生じるのを回避することができる。
【図面の簡単な説明】
【００４２】
【図１】本発明の一実施形態の画像形成装置の概略構成を示す図である。
【図２】同じく、制御ブロックを示す図である。
【図３】同じく、実施形態１における、画像形成から画像読取、マスク処理に至る手順を示すフローチャートである。
【図４】同じく、マスク処理における手順を示すフローチャートである。
【図５】同じく、画像ログ保存の手順を示すフローチャートである。
【図６】同じく、リアルタイム調整に用いられる用紙の印刷例を示す図である。
【図７】同じく、読取画像におけるマスク処理例を示す図である。
【図８】同じく、追い刷り印刷に際しマスク領域の追加を説明する図である。
【図９】同じく、画像形成不良箇所のマスク除外例を示す図である。
【図１０】本発明の実施形態２における画像形成、画像読取、マスク処理に至る手順を示すフローチャートである。
【図１１】同じく、マスク処理における手順を示すフローチャートである。
【図１２】同じく、画像ログ保存の手順を示すフローチャートである。
【発明を実施するための形態】
【００４３】
以下に、本発明の一実施形態の画像形成装置１について、機械的な概略を図１に基づいて説明する。
画像形成装置１は、画像形成装置本体１０と、これに接続された読取装置２０とを有している。なお、本発明としては、画像形成装置本体１０によって画像形成装置が構成され、画像形成装置本体１０と読取装置とによって画像形成システムが構成されるものであってもよい。画像形成システムでは、さらに他の外部装置などが接続されるものであってもよい。
【００４４】
画像形成装置本体１０の上部側で、プラテンガラスが位置しない箇所に、操作表示部２１０が設置されている。操作表示部２１０は、ＬＣＤとタッチパネルで構成されており、ユーザによる操作および情報の表示が可能になっている。この実施形態では操作表示部２１０は、操作部と表示部の機能を兼用している。なお、入力部をマウスやタブレットなどで構成し、ＬＣＤなどの表示部とは別体で構成することも可能である。また、操作表示部２１０は、ユーザコンテンツを含む画像保存を許可または禁止の設定をする画像保存設定部として用いることができる。画像保存設定部は、外部から画像形成装置に対し指示をする構成からなるものであってもよい。
【００４５】
画像形成装置本体１０の下部側には、用紙を収納して給紙する給紙トレイ２０３が配置されている。給紙トレイ２０３は、多段で構成してもよい。この実施形態では、用紙は本発明の転写媒体に相当する。なお、転写媒体は、用紙に限られるものではなく、画像を印刷して搬送できるもので布などでもよく、その材質は問わない。また、転写媒体は、シート形状の他、連続媒体であってもよい。また、画像形成装置本体１０に給紙装置が接続されたものであってもよい。
【００４６】
画像形成装置本体１０内には、給紙トレイ２０３から給紙される用紙を搬送する搬送経路２１５が設けられており、画像形成装置本体１０内の搬送経路２１５の途中に、画像形成部２０４が設けられている。
画像形成部２０４では、各色用の感光体２０５と中間の転写ベルト２０６、二次転写ローラ２０７を有しており、感光体２０５の周囲には、各色用に、図示しない、帯電器、ＬＤ、現像器が配置されている。
二次転写ローラ２０７の下流側の搬送経路２１５には定着器２０８が配置されている。定着器２０８は、定着ローラや定着ベルトなどにより構成され、定着時には、加圧側と加熱側とでニップを形成して用紙を通過させる。
【００４７】
定着器２０８の下流側で、搬送経路２１５が伸長して読取装置２０の通紙経路２２０に接続されている。また、画像形成装置本体１０内では、定着器２０８の下流側で、搬送経路２１５から反転経路２１５Ａが分岐して反転部２１１を構成しており、反転経路２１５Ａは、画像形成部２０４の上流側で搬送経路２１５に合流している。
【００４８】
また、画像形成装置本体１０には、制御部２００が備えられている。制御部２００は、ＣＰＵやＣＰＵ上で動作する制御プログラム、ＲＯＭ、ＲＡＭ、不揮発メモリなどによって構成されている。制御部２００は、画像形成装置全体を制御するものであり、さらに、読取画像を取得して画像形成部の調整や異常の判定を行うことができ、読取画像にユーザコンテンツを含む場合に読取画像にマスク処理を行うことができる。なお、制御プログラムは、移動可能な記憶部に格納して流通するものであってもよい。
記憶装置２１６は、各種データなどを記憶するものであり、不揮発メモリやＨＤＤなどにより構成することができる。また、記憶装置２１６を揮発メモリなどで構成するようにしてもよい。
【００４９】
読取装置２０では、通紙経路２２０上面の用紙を読み取るラインセンサ２２１を有している。ラインセンサ２２１にはＣＣＤやＣＭＯＳを用いることができ、本発明としては、特定のものに限定されない。また、センサはライン上に検知が行われることが必須とされるものではなく、対象となる用紙位置や画像位置を検知できるものであればよい。ラインセンサ２２１は、本発明における画像読取部に相当する。ラインセンサ２２１の読取画像は、制御部２００に送信される。
【００５０】
なお、この実施形態では、画像読取部が画像形成装置に含まれるものとして説明したが、画像形成装置外に画像読取部を有し、全体で画像形成システムを構成するものであってもよい。その場合、画像形成装置と画像読取部を備える装置をインラインで接続することができるが、オフラインとするものであってもよい。オフラインの装置では、ケーブルやネットワークによって読取画像を画像形成装置で取得できるようにしてもよく、また、移動可能な記憶部によって読取画像のデータを画像形成装置で取得するようにしてもよい。
【００５１】
画像形成部２０４では、帯電器により画像書込み前に感光体２０５の表面を一様に帯電し、画像書き込み部により表面が一様に帯電された感光体２０５にレーザ照射などをして感光体２０５に静電潜像を形成する。現像器は、感光体２０５に形成された静電潜像をトナーによって現像する。この現像処理によって、感光体２０５にトナー画像が形成される。感光体２０５のトナー画像は、転写ベルト２０６に転写され、二次転写ローラ２０７によって、給紙トレイ２０３から搬送されてきた用紙にトナー画像が転写される。トナー画像が転写された用紙は、搬送経路２１５に沿って搬送されて定着器２０８に至る。
感光体２０５や中間転写ベルト２０７に残留したトナーは、図示しないクリーニング部によって除去される。
【００５２】
定着器２０８は、搬送された用紙を加熱することにより用紙の表面側に転写されたトナー画像を出力画像として定着する。この定着により、用紙への画像の印刷が完了する。
定着処理が施された用紙は、搬送経路２１５によってそのまま読取装置２０に排出するか、反転搬送経路２１５Ａを通して反転部２１１で用紙の表裏が反転された後、画像形成部２０４の上流側の搬送経路２１５に返流される。表裏反転された用紙は、画像形成部２０４によって裏面への画像印刷を行うことができる。
【００５３】
次に、制御部およびその周辺の機能ブロックを図２に基づいて説明する。
状態管理部１０１は、画像形成装置１の全体を制御し、また画像形成装置１全体の状態把握を行う。状態管理部１０１には、図示しない、プログラムなどを格納するＲＯＭ、作業エリアとなるＲＡＭ、データを不揮発に記憶するフラッシュメモリ、不揮発メモリなどを有している。不揮発メモリは、画像形成システムの動作パラメータや、読み取られた画像品質を判定する際の閾値、画像形成部を調整する際の画像形成調整条件、調整画像、内部パターンなどが読み出し可能に格納されている。これらは操作表示部２１０を介して編集可能としてもよい。
【００５４】
状態管理部１０１には操作表示部２１０が制御可能に接続されている。操作表示部２１０を介して各種の設定や情報の表示を行うことができ、ユーザコンテンツを含む画像保存を許可または禁止の設定をする画像保存設定部として操作入力を行うことができる。さらには、操作表示部２１０にマスク済みの画像やマスク対象となった画像を表示することができる。
【００５５】
状態管理部１０１には、画像形成部２０４が制御可能に接続されている。状態管理部１０１では、記憶装置から画像データを読み出し、画像形成部２０４を制御することにより、用紙に画像を形成し、必要に応じて画像位置調整などを行うことができる。
【００５６】
状態管理部１０１には、画像調整部１０４が接続されており、ラインセンサ２２１で読み取り、後述する解析部１０７で解析した結果に基づいて画像形成部の調整を行うことができる。
画像調整部１０４の入力側には、読取部１０５が接続されている。読取部１０５は、ラインセンサ２２１の動作を制御し、ラインセンサ２２１で読み取られた検知結果を受信する。
【００５７】
画像調整部１０４の出力側には、解析部１０７が接続されている。解析部１０７では、ラインセンサ２２１で読み取られた読取画像に基づいて画像形成部の調整内容の解析や異常の有無を判定する。また、解析部１０７では、用紙上の所定の画像位置を特定する。これらの結果は、状態管理部１０１に送信される。
【００５８】
状態管理部１０１では、これらの情報に基づいて読取画像にマスク処理をするかを決定する。なお、マスク処理は、該当領域の情報が読み取れない状態になっていればよく、画像の付加（黒塗りなど）によって読み取りができないものや該当領域を削除したものが挙げられる。また、マスクを別のレイヤに作成し、レイヤを重ねることで読取できない状態にしてもよい。なお、マスク処理では、マスク済みの画像とマスク前の画像とをそれぞれ保持できるようにしてもよい。
【００５９】
状態管理部１０１には、ログ保存部１０８が制御可能に接続されており、ログ保存部１０８に記憶装置２１６が接続されている。ログ保存部１０８では、状態管理部１０１の指令を受けて、所定のデータを保存するかを判定し、保存する場合に記憶装置２１６に所定のデータを格納する。
【００６０】
図２の機能ブロックでは、画像形成部２０４、表示部２１０、ラインセンサライン２２１を除いて制御部２００に含まれている。
【００６１】
（実施形態１）
次に、本実施形態の画像形成装置で画像形成と画像の読取による手順の一形態を図３のフローチャートに基づいて説明する。なお、以下の手順は制御部の制御によって実行される。また以降のフローチャートの手順は、後記する表１〜６に示される設定内容に従って動作する。
【００６２】
・Ｓ１０１０：用紙印字
手順の開始に伴って、状態管理部１０１は、印刷ジョブ設定に基づき、画像形成部２０４に用紙への画像形成を指示する。調整モードがリアルタイム調整の場合は、ユーザコンテンツと調整パターン（断裁トンボの外のトンボ・パッチ；調整画像に相当）を印字し（図６参照）、それ以外の調整の場合は、対応する調整パターン（調整画像に相当）を印字する。状態管理部１０１は、画像調整部１０４に画像形成部の調整モードを指示する。次に、ステップＳ１０２０に移行する。
【００６３】
・Ｓ１０２０：用紙読取
ステップＳ１０２０では、画像調整部１０４は、読取部１０５にステップＳ１０１０で画像形成した用紙の読み取りを指示する。読取部１０５は、搬送された用紙をラインセンサ２２１で読み取り、メモリに読取画像を格納する。画像調整部１０４は、メモリに読取画像の格納を完了すると、画像調整部１０４に読取完了を通知する。次に、ステップＳ１０３０に移行する。
【００６４】
・Ｓ１０３０：画像解析
ステップＳ１０３０では、画像調整部１０４は、読取画像のメモリアドレスと調整モードを解析部１０７に通知して解析を指示する。解析部１０７は、読取画像上の用紙位置の探索と、調整モード（表２に例示）に基づいて読取画像のトンボやパッチ等の調整パターンを探索する。次に、ステップＳ１０４０に移行する。
【００６５】
・Ｓ１０４０：異常有り？
ステップＳ１０４０では、解析部１０７は、読取画像に関し異常があるかどうか判定する。解析部１０７は、調整パターンに異常がある場合や画像に異常がある場合（キズや汚れなど）、画像調整部１０４に異常有りを通知する。解析部１０７は、異常なしの場合は調整値を算出し、画像調整部１０４に通知する。画像調整部１０４では、調整値に基づいて画像形成部２０４の調整を行う。調整パターンに異常がある場合としては、調整パターンの読み取りができない場合や、読取結果においては調整範囲を超えるなどして画像形成部の調整ができない場合などがある。ステップＳ１０４０で異常なしの場合（ステップＳ１０４０、Ｎｏ）は、処理を終了した後、手順を終了する。異常がある場合（ステップＳ１０４０、Ｙｅｓ）は、ステップＳ１０５０に移行する。
【００６６】
・Ｓ１０５０：画像保護設定
ステップＳ１０５０では、画像調整部１０４は、異常有りと判定された読取画像を画像保護設定＝保護ありに設定し（表３に例示）、読取画像がメモリから削除されないように設定する。これは後続紙の読取画像で上書きしないためである。次に、ステップＳ１０６０に移行する。
【００６７】
・Ｓ１０６０：ジョブ停止？
ステップＳ１０６０では、画像調整部１０４は、状態管理部１０１に調整失敗や画像の異常と、読取画像のメモリアドレスと、を通知する。状態管理部１０１は、ジョブ停止処理を開始し、画像形成部２０４に画像形成の中止を指示し、全ての用紙が機外に排出されるまで待機する。状態管理部１０１は、ジョブ停止した後、ログ保存部１０８に読取画像のメモリアドレスと調整モードを通知し、読取画像保存と機械状態ログ保存を指示する。
なお、本発明としては、異常有りの際に、ジョブ停止することなくジョブを継続したり、再プリントをしたりしてもよい。
次に、ステップＳ１０７０に移行する。
【００６８】
・Ｓ１０７０：ＲＴ調整？
ステップＳ１０７０では、ログ保存部１０８は、調整モードがリアルタイム調整であるか判定する。リアルタイム調整でなければ（ステップＳ１０７０、Ｎｏ）、ステップＳ１０９０に移行し、リアルタイム調整であれば（ステップＳ１０７０、Ｙｅｓ）、ステップＳ１０８０に移行する。
【００６９】
・Ｓ１０８０：画像マスク
ステップＳ１０８０では、ログ保存部１０８は、調整モード＝リアルタイム調整の場合に、読取画像にマスク処理を実施する。マスク処理の詳細はステップＳ２０１０以降で説明する。本実施形態では画像調整モード（リアルタイム調整：断裁する外側に調整パターンを印字）に応じてマスク処理するかを判定する。リアルタイム調整以外の調整の場合は、ユーザコンテンツを含むチャートを使用せず、内部パターンを使用するので、加工しないでスキャン画像を保存することができる。
次いで、ステップＳ１０９０に移行する。
【００７０】
・Ｓ１０９０：画像ログ保存
ステップＳ１０９０では、ログ保存部１０８は、読取画像と機械状態ログの取得を行う。処理の詳細はＳ３０１０以降で説明する。
なお、読取画像・機械状態ログの保存は、異常発生時に自動保存しても、パネルからのユーザ指示で採取してもよい。
この実施形態では画像形成装置の調整モードを判別し、ユーザコンテンツ画像に調整パターンを付加する調整では、マスク加工してスキャン画像を保存し、それ以外の調整の場合は、マスク加工せずにスキャン画像を保存する。
次に、ステップＳ１１００に移行する。
【００７１】
・Ｓ１１００：画像保護解除
ステップＳ１１００では、ログ保存部１０８は、読取画像保存と機械状態ログ保存が完了した後、読取画像を画像保護設定＝保護解除に設定し（表３）、メモリから削除し、手順を終了する。
【００７２】
次に、マスク処理の手順を図４のマスクフローチャートに基づいて説明する。なお、以下の手順は制御部の制御によって実行される。
【００７３】
・Ｓ２０１０：ジョブ設定取得
処理開始に伴って、ステップＳ２０１０では、ログ保存部１０８は、状態管理部１０１より、読取画像に対応した用紙のジョブ設定を取得する。ジョブ設定には、用紙サイズ、後処理設定、調整モード等を含む。次に、ステップＳ２０２０に移行する。
【００７４】
・Ｓ２０２０：解析結果取得
ステップＳ２０２０では、ログ保存部１０８は、解析部１０７より読取画像の解析結果を取得する。解析結果には、画像上の用紙位置、調整パターンの位置、画像形成の不良位置と大きさ等を含む。次に、ステップＳ２０３０に移行する。
【００７５】
・Ｓ２０３０：マスク領域設定
ステップＳ２０３０では、ログ保存部１０８は、ジョブ設定の調整モードと解析結果の用紙位置に基づき、マスク対象とする領域を設定する。次に、ステップＳ２０４０に移行する。
【００７６】
・Ｓ２０４０：追い刷り？
ステップＳ２０４０では、ログ保存部１０８は、解析結果の調整パターン位置に基づき、調整パターンと別画像が重複するか、すなわち追い刷りかを判定する。
調整パターンと別画像が重複しない、すなわち追い刷りの場合（ステップＳ２０４０、Ｙｅｓ）、ステップＳ２０８０に移行し、調整パターンと別画像が重複する場合（ステップＳ２０４０、Ｎｏ）、ステップＳ２０５０に移行する。
【００７７】
・Ｓ２０５０：画像形成不良？
ステップＳ２０５０では、ログ保存部１０８は、解析結果の画像形成不良位置に基づき、画像形成不良があるか判定する。画像形成不良の場合（ステップＳ２０５０、Ｙｅｓ）、ステップＳ２０９０（マスク除外）に移行し、画像形成不良でない場合（ステップＳ２０５０、Ｎｏ）、ステップＳ２０６０（マスク処理）に移行する。
【００７８】
・Ｓ２０６０：マスク処理
ステップＳ２０６０では、ログ保存部１０８は、マスク領域テーブル（表４例示）とマスク除外領域テーブル（表５例示）に基づき、読取画像のマスク領域を黒塗り処理する（図７参照）。次に、ステップＳ２０７０に移行する。
【００７９】
・Ｓ２０７０：ジョブ設定埋め込み
ステップＳ２０７０では、ログ保存部１０８は、マスクした領域にジョブ設定を埋め込む（図７参照）。なお、埋め込みに際しては、文字を直接埋め込んでもバーコードを埋め込んでもよい。ステップＳ２０７０の処理後、手順を終了する。
【００８０】
・Ｓ２０８０：追い刷りマスク設定
ステップＳ２０８０では、ログ保存部１０８は、ユーザコンテンツ外の領域に調整パターン以外の画像が存在するか判定し、追い刷り画像と判定した場合（図８参照）、マスク対象としてマスク領域テーブルに追加する（表４例示）。その後、上記したステップＳ２０５０に移行する。
【００８１】
・Ｓ２０９０：不良箇所マスク除外
ステップＳ２０９０では、ログ保存部１０８は、画像形成不良有りと判定された場合、不良位置と大きさから該当領域をマスク対象から除外する（図９参照）。マスク除外領域と不良種別をマスク除外領域テーブルに追加する（表５）。その後、上記したステップＳ２０６０に移行する。
【００８２】
次に、画像ログ保存の手順を図５のフローチャートに基づいて説明する。以下の手順は制御部の制御によって実行される。
【００８３】
・Ｓ３０１０：高セキュリティ？
手順開始に伴って、ログ保存部１０８は、状態管理部１０１より、高セキュリティモード設定（表１）を取得し、高セキュリティモード＝ＯＮであるか判定する。高セキュリティモードＯＮの場合（ステップＳ３０１０、Ｙｅｓ）は、読取画像を保存せずに手順を終了する。高セキュリティモードＯＦＦの場合（ステップＳ３０１０、Ｎｏ）、ステップＳ３０２０に移行する。なお、この実施形態では、高セキュリティモードがＯＮかＯＦＦかによって処理を変えているが、セキュリティの程度（高低、高中低など）に応じて処理内容を変えるようにしてもよい。
【００８４】
・Ｓ３０２０：ＲＴ調整？
ステップＳ３０２０では、ログ保存部１０８は、読取画像がリアルタイム調整の画像であるか判定する。リアルタイム調整である場合（ステップＳ３０２０、Ｙｅｓ）、ステップＳ３１１０に移行し、リアルタイム調整でない場合（ステップＳ３０２０、Ｎｏ）、ステップＳ３０３０移行する。
【００８５】
・Ｓ３０３０：画像表示
ステップＳ３０３０では、ログ保存部１０８は、状態管理部１０１に読取画像のメモリアドレスを通知し、操作表示部２１０に読取画像と保存許可釦・保存禁止釦を表示し、ユーザにいずれかの釦を選択するように促す。なお、ユーザにマスク領域を選択させるようにしてもよい。次に、ステップＳ３０４０に移行する。
【００８６】
・Ｓ３０４０：保存許可？
ステップＳ３０４０では、ログ保存部１０８は、ユーザが選択した釦が保存許可釦かどうか判定する。保存禁止釦が選択された場合（ステップＳ３０４０、保存許可；Ｎｏ）、読取画像を保存しないでステップＳ３０９０に移行する。保存許可釦が選択された場合（ステップＳ３０４０、保存許可；Ｙｅｓ）、ステップＳ３０５０に移行する。
【００８７】
・Ｓ３０５０：保存方法設定
ステップＳ３０５０では、ログ保存部１０８は、調整モードに応じた読取画像の保存方法を設定する。画像保存設定テーブル（表２）に示すように、調整モード毎に通常保存と縮小保存の設定がされており、調整モードに対応した通常保存設定を読取画像保存設定として設定する。保存先となる記憶装置２１６の種類によって解像度や圧縮方式を変更してもよい。（例：サーバとの通信帯域によって変更する）。次に、ステップＳ３０６０に移行する。
【００８８】
・Ｓ３０６０：空きあり？
ステップＳ３０６０では、ログ保存部１０８は、通常保存設定で読取画像を保存した場合の必要容量を計算する。記憶装置２１６の空き容量が必要容量を上回っているか判定する。記憶装置２１６の空き容量が必要容量を上回っている場合（ステップＳ３０６０、Ｙｅｓ）、ステップＳ３０７０に移行し、記憶装置２１６の空き容量が必要容量を上回っていない場合（ステップＳ３０６０、Ｎｏ）、ステップＳ３１２０に移行する。
【００８９】
・Ｓ３０７０：画像データ削減
ステップＳ３０７０では、ログ保存部１０８は、読取画像保存設定に基づき、読取画像を解像度変換・圧縮する。次いで、ステップＳ３０８０に移行する。なお、空き容量が必要容量を上回っている場合、画像データ量の削減を行わないものとしたり、空きありで保存後に空く容量で圧縮の程度を変更したりするようにしてもよい。
【００９０】
・Ｓ３０８０：画像保存
ステップＳ３０８０では、ログ保存部１０８は、圧縮した読取画像を暗号化した上で記憶装置２１６に保存する。暗号方法は特に限定されるものではなく、適宜の方法で行うことができる。保存先となる記憶装置２１６は、ＵＳＢメモリ等のリムーバブルデバイスでも、ネットワーク上のサーバでもよい。また、機械ログより読取画像の暗号強度を上げてもよい。また、暗号化処理を行わないようにすることも可能である。次に、ステップＳ３０９０に移行する。
【００９１】
・Ｓ３０９０：機械ログ保存
ステップＳ３０９０では、ログ保存部１０８は、状態管理部１０１より機械状態情報を取得し、機械状態ログとして暗号化して記憶装置２１６に保存する。その後、手順を終了する。
【００９２】
・Ｓ３１１０：保存許可？
ステップＳ３３１０では、ログ保存部１０８は、読取画像がリアルタイム調整の画像である場合、状態管理１０１よりリアルタイム調整画像保存設定（表１）を取得し、保存設定＝許可であるか判定する。保存設定＝禁止の場合（ステップＳ３１１０、Ｎｏ）は、読取画像を保存しないで機械ログを保存するステップＳ３０９０に移行する。保存設定＝許可である場合（ステップＳ３１１０、Ｙｅｓ）、ステップＳ３０３０に移行する。
【００９３】
・Ｓ３１２０  ：画像保存方法再設定
ステップＳ３１２０では、ログ保存部１０８は、記憶装置２１６の空き容量が必要容量を下回る場合、画像保存設定テーブル（表２）の縮小保存設定を読取画像保存設定として再設定する。なお、解像度を変更する例を示したが、画像の圧縮率を変えることで容量を削減してもよい。また、画像形成不良箇所は高解像度で保存し、それ以外は低解像度で保存してもよい。次にステップＳ３１３０に移行する。
【００９４】
・Ｓ３１３０：空きあり？
ステップＳ３１３０では、ログ保存部１０８は、縮小保存設定で読取画像を保存した場合の必要容量を計算する。記憶装置２１６の空き容量が必要容量を上回っているか判定する。空き容量が有りでなく（ステップＳ３１３０、Ｎｏ）、必要量を下回る場合、読取画像を保存しないで機械ログを保存するステップＳ３０９０に移行する。空き容量がある場合（ステップＳ３１３０、Ｙｅｓ）、ステップＳ３０７０に移行する。
【００９５】
次に、リアルタイム調整を行う用紙の例を図６に示す。
用紙Ｐには、ユーザコンテンツの画像ＵＧと調整用のパッチＡＰと、調整用の十字トンボＡＴと、断裁代を示す断裁トンボＣＴが形成されている。十字トンボＡＴは、断裁トンボＣＴで示される断裁代に形成されている。この用紙Ｐをラインセンサ２２１によって読み取ると、ユーザコンテンツＵＧを含む画像が読取画像として得られる。なお、リアルタイム調整でなくても、用紙全体の画像を読み取る場合は同様の読取画像が得られる。
【００９６】
図７は、マスク済みの読取画像ＲＩを示すものである。読取画像ＲＩには、調整用のパッチＡＰが読み取られたパッチ画像ＲＡＰ、十字トンボＡＴが読み取られた十字トンボ画像ＲＡＴ、断裁トンボＣＴが読み取られた断裁トンボ画像ＲＣＴが含まれているが、ユーザコンテンツの画像ＵＧは表示されず、その領域にマスクＭＫが表示されている。マスク処理は、読取画像ＲＩに基づいて調整や異常の判定を行った後に行ってもよく、これら処理の前にマスク処理を行ってもよい。また、この実施形態では、マスクＭＫには、画像形成条件が埋め込まれている。画像形成条件として、ジョブＩＤ、用紙ＩＤ、トレイ番号、用紙サイズ、調整モード：リアルタイムと、これら情報を含むバーコードが埋め込まれている。なお、本発明としては、画像形成条件をマスク領域に埋め込むかは任意に設定することができる。
【００９７】
図８は、追い刷り印刷をした用紙を読み取った読取画像ＲＣＩを示すものである。
読取画像ＲＣＩには、パッチ画像ＲＡＰ、十字トンボ画像ＲＡＴ、断裁トンボ画像ＲＣＴが含まれており、ユーザコンテンツとなる領域にマスクＭＫが配置されている。ユーザコンテンツ外の領域に、調整画像以外の画像が存在する場合、マスク領域とする。図８では、画像ＰＩは、ユーザコンテンツ外の領域に、調整画像以外の別画像として存在するもので、マスクの対象とする。追い刷り印刷の場合は、別画像は先行画像である。
【００９８】
図９は、ユーザコンテンツをマスクしたマスクＭＫ２の領域に画像の異常があった場合の読取画像ＲＩ２を示すものである。読取画像ＲＩ２には、パッチ画像ＲＡＰ、十字トンボＡＴが読み取られた十字トンボＲＡＴ、断裁トンボＲＣＴが含まれている。マスクＭＫ２の領域には、左側中央に位置するキズと、右側下方に位置する濃度むらが存在しており、画像の異常を確認するため、その領域をマスク除外領域に設定しており、最小限の範囲で画像の異常の分析を行うことが可能になる。
【００９９】
（実施形態２）
次に、他の実施形態の画像形成、画像読取の手順を図１０のフローチャートに基づいて説明する。なお、以下の手順は制御部の制御によって実行される。また以降のフローチャートの手順は、後記する表１〜６に示される設定内容に従って動作する。
【０１００】
・Ｓ１０１０：用紙印字
当該ステップは、前記実施形態と同じ内容であり、その説明を省略する。
【０１０１】
・Ｓ１０２０：用紙読取
ステップＳ１０２０では、画像調整部１０４は、読取部１０５にステップＳ１０１０で画像形成した用紙の読み取りを指示する。読取部１０５は、搬送された用紙をラインセンサ２２１で読み取り、メモリに読取画像を格納する。画像調整部１０４は、メモリに読取画像の格納を完了すると、画像調整部１０４に読取完了を通知する。次に、ステップＳ１０２２に移行する。
【０１０２】
・Ｓ１０２２：ＲＴ調整？
ステップＳ１０２２では、ログ保存部１０８は、読取画像がリアルタイム調整の画像であるか判定する。リアルタイム調整である場合（ステップＳ１０２２、Ｙｅｓ）、ステップＳ１０２５に移行し、リアルタイム調整でない場合（ステップＳ１０２２、Ｎｏ）、ステップＳ１０３０に移行する。
【０１０３】
・Ｓ１０２５：マスク処理
ステップＳ１０２５では、ログ保存部１０８は、マスク領域テーブル（表４）とマスク除外領域テーブル（表５）に基づき、読取画像のマスク領域を黒塗り処理する（図７）。マスク処理の内容は後述する。次に、ステップＳ１０３０に移行する。
【０１０４】
・Ｓ１０３０：画像解析
・Ｓ１０４０：異常有り？
・Ｓ１０５０：画像保護設定
・Ｓ１０６０：ジョブ停止？
上記ステップは、前記実施形態と同内容であり、その説明を省略する。
【０１０５】
・Ｓ１０７０：ＲＴ調整？
ステップＳ１０７０では、ログ保存部１０８は、調整モードがリアルタイム調整であるか判定する。リアルタイム調整でなければ（ステップＳ１０７０、Ｎｏ）、ステップＳ１０９０に移行し、リアルタイム調整であれば（ステップＳ１０７０、Ｙｅｓ）、ステップＳ１０７５に移行する。
【０１０６】
・Ｓ１０７５：代替チャート出力
ステップＳ１０７５では、ログ保存部１０８は、調整モードがリアルタイム調整の場合、ユーザコンテンツを含まない内部パターンのみを印字した代替チャート出力を状態管理部１０１に指示する。状態管理部１０１は、代替チャートを用紙に画像形成するように画像形成部２０４に指示し、代替チャートを印刷した用紙の読取を読取部１０５に指示する。これによりジョブ停止後に画像形成部の調整を行うことができる。次に、ステップＳ１０９０に移行する。
【０１０７】
・Ｓ１０９０：画像ログ保存
・Ｓ１１００：画像保護解除
上記ステップは、前記実施形態と同内容であり、その説明を省略する。
【０１０８】
次に、画像マスクの手順を図１１のマスクフローチャートに基づいて説明する。なお、以下の手順は制御部の制御によって実行される。
【０１０９】
・Ｓ４０１０：ジョブ設定取得
手順の開始に伴ってステップＳ４０１０では、読取部１０５は、状態管理部１０１より、読取画像に対応した用紙のジョブ設定を取得する。ジョブ設定には、用紙サイズ、後処理設定、調整モード等を含む。次に、ステップＳ４０２０に移行する。
【０１１０】
・Ｓ４０２０：マスク領域設定
ステップＳ４０２０では、読取部１０５は、ジョブ設定の調整モードに基づき、チャート設計上のユーザコンテンツ位置を算出し、マスク対象とする領域を設定する。次に、ステップＳ４０３０に移行する。
【０１１１】
・Ｓ４０３０：マスク処理
ステップＳ４０３０では、読取部１０５は、マスク領域テーブル（表４）に基づき、読取画像のマスク領域を黒塗り処理する（図７）。次に、ステップｓ４０４０に移行する。
【０１１２】
・Ｓ４０４０：ジョブ設定埋め込み
ステップＳ４０４０では、読取部１０５は、マスクした領域にジョブ設定を埋め込み（図７）、その後、手順を終了する。
【０１１３】
次に、画像ログ保存の手順を図１２の画像フローチャートに基づいて説明する。なお、以下の手順は制御部の制御によって実行される。
【０１１４】
・Ｓ３０１０：高セキュリティ？
手順開始に伴って、ログ保存部１０８は、状態管理部１０１より、高セキュリティモード設定（表１）を取得し、高セキュリティモード＝ＯＮであるか判定する。高セキュリティモードＯＮの場合（ステップＳ３０１０、Ｙｅｓ）は、読取画像を保存せずに手順を終了する。高セキュリティモードＯＦＦの場合（ステップＳ３０１０、Ｎｏ）、ステップＳ３０２５に移行する。なお、この実施形態では、高セキュリティモードがＯＮかＯＦＦかによって処理を変えているが、セキュリティの程度に応じて処理内容を変えるようにしてもよい。次に、ステップＳ３０２５に移行する。
【０１１５】
・Ｓ３０２５：保存対象？
ステップＳ３０２５では、ログ保存部１０８は、保存対象エラー設定テーブル（表６）を参照し、保存対象となるエラーが発生した読取画像であるか判定する。保存対象でない場合（ステップｓ３０２５、Ｎｏ）、機械ログを保存するステップＳ３０９０に移行し、保存対象である場合（ステップｓ３０２５、Ｙｅｓ）、ステップＳ３０５０に移行する。
【０１１６】
・Ｓ３０５０：保存方法設定
ステップＳ３０５０では、ログ保存部１０８は、調整モードに応じた読取画像の保存方法を設定する。画像保存設定テーブル（表２）に示すように、調整モード毎に通常保存と縮小保存の設定がされており、調整モードに対応した通常保存設定を読取画像保存設定として設定する。保存先となる記憶装置２１６の種類によって解像度や圧縮方式を変更してもよい。（例：サーバとの通信帯域によって変更する）。次に、ステップＳ３０６０に移行する。
【０１１７】
・Ｓ３０６０：空きあり？
・Ｓ３０７０：画像データ削減
・Ｓ３０８０：画像保存
・Ｓ３０９０：機械ログ保存
・Ｓ３１２０：画像保存方法再設定
・Ｓ３１３０：空きあり？
上記ステップは、前記実施形態と同内容であり、その説明を省略する。
【０１１８】
【表１】
2018082349.tif 000003
【０１１９】
【表２】
2018082349.tif 000004
【０１２０】
【表３】
2018082349.tif 000005
【０１２１】
【表４】
2018082349.tif 000006
【０１２２】
【表５】
2018082349.tif 000007
【０１２３】
【表６】
2018082349.tif 000008
【０１２４】
なお、上記各実施形態では、画像形成装置において読取画像を取得して、異常の判定やマスク処理を行うものとしたが、画像形成装置を管理する管理装置において読取画像を取得し、読取画像について異常の判定やマスク処理を行ってもよい。その場合、管理装置に含まれる管理装置制御部は、本発明の制御部として機能するものとなる。
【０１２５】
以上、本発明について上記実施形態に基づいて説明を行ったが、本発明は上記説明の内容に限定されるものではなく、本発明の範囲を逸脱しない限りは上記実施形態における適宜の変更が可能である。
【符号の説明】
【０１２６】
１  画像形成装置
１０  画像形成装置本体
２０  読取装置
１０１  状態管理部
１０４  画像調整部
１０５  読取部
１０７  解析部
１０８  ログ保存部
２００  制御部
２０３  給紙トレイ
２０４  画像形成部
２１０  操作表示部
２１６  記憶装置
２２１  ラインセンサ
ＵＧ    ユーザコンテンツの画像
ＡＴ    十字トンボ
ＣＴ    断裁トンボ
ＲＩ    読取画像
ＲＡＰ  パッチ画像
ＲＡＴ  十字トンボ画像
ＲＣＴ  断裁トンボ画像
ＲＣＩ  読取画像
ＭＫ    マスク
ＰＩ    画像
ＭＫ２  マスク
ＲＩ２  読取画像
【図１】
2018082349.tif 000009
【図２】
2018082349.tif 000010
【図３】
2018082349.tif 000011
【図４】
2018082349.tif 000012
【図５】
2018082349.tif 000013
【図６】
2018082349.tif 000014
【図７】
2018082349.tif 000015
【図８】
2018082349.tif 000016
【図９】
2018082349.tif 000017
【図１０】
2018082349.tif 000018
【図１１】
2018082349.tif 000019
【図１２】
2018082349.tif 000020